(57)【要約】【課題】本発明は、接着液を塗付する柔軟構造の繊維芯などで目の輪郭に沿って、線を引くように二重まぶたを簡単に形成しかつ、好みの二重まぶたを自己選択できる形成具及び二重まぶた形成方法を提供するものである。【解決手段】液収納容器２によって保持され、多孔質構造かつ適度な柔構造を有する液供給部材１の先端をまぶたの上皮に押し当てて皮膚に折りこみシワを造り、そのまま本形成具を目の輪郭に沿って移動させると、該部材の基底部で接触した接着液層３より常に一定かつ極微量の接着液４がまぶたに塗付されつつ、瞬時に皮膚面どうしを圧着接合し、二重まぶたを形成する。液供給部材１は着脱可能とし、先端形状を変更すれば、好みの形状の二重まぶたが形成可能となる。【選択図】  図６
2006255333.tif 000002
【特許請求の範囲】
【請求項１】
内部に接着液を収納した液収納容器と、その後端部が前記容器内の接着液と接触し、その先端部が前記容器の外部に突出する形態に保持された、毛細管現象を利用する多孔質構造の液供給部材とを備えたことを特徴とする二重まぶた形成具。
【請求項２】
前記液供給部材は、天然繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂のいずれか一種又二種以上の組み合わせにより多孔質構造に形成され、前記接着液は、水溶性，低級アルコール可溶性又は水・低級アルコールの混合物に対する可溶性のうちいずれかを有する高分子を接着性成分として含むことを特徴とする請求項１に記載の二重まぶた形成具。
【請求項３】
前記液供給部材は、前記液収納容器に対し挿着脱可能な棒状に形成されたことを特徴とする請求項１又は２に記載の二重まぶた形成具。
【請求項４】
前記液供給部材は、その両端部が互いに異なる形状に形成されたことを特徴とする請求項３に記載の二重まぶた形成具。
【請求項５】
請求項１〜４までのいずれかに記載の二重まぶた形成具を使用して二重まぶたを形成する方法であって、液収納容器を指でつかみ、液供給部材をまぶたの上皮に押し当て押し込んで目の輪郭に沿って内側から外側へと移動させながら折り込みシワを造る際に、液供給部材で押し込まれた皮膚に接着液が塗付されて、その押し込んだ状態で形成される折り込みシワを保持することを特徴とする二重まぶた形成方法。
【発明の詳細な説明】
【技術分野】
【０００１】
本発明は、二重まぶた形成具及び同形成具を用いた二重まぶたの形成方法に関する技術である。
【背景技術】
【０００２】
従来の二重まぶたを形成する技術については、二重まぶた形成用の接着シートを糸状にカットしたものをまぶたに貼り付けてまぶたの皮膚を手で引っ張り、持ち上げあげながら接着固定させるもの（下記特許文献１参照）がある。
あるいは筆先が刷毛になっており、接着液を予め筆先に貯留して、皮膚上の平面に塗付させた後に、付属のスティック棒状の器具で押し込みながら接着させるもの、または、接着液がマニキュア容器に充填され、マニキュア容器のキャップに付属されたプラスチック刷毛で皮膚上に塗付した後に別途付属されているスティック棒状の器具で押し込み接着させるもの（下記非特許文献１参照）なども知られている。
【０００３】
【特許文献１】特開２００３−１０２５４６号公報
【非特許文献１】商品名：ローヤルアイム  http://www.royalkaken.com
【発明の開示】
【発明が解決しようとする課題】
【０００４】
ここで従来の粘着テープ貼付式又は液状の刷毛筆先への接着液塗付式の器具
（以降は従来の塗付具という）では、いずれも貼付後又は塗付後、別途まぶたの押し込み用器具に持ち替え等して、早急にまぶたの接合作業を行う必要が有り、時間がかかる場合には接着液の乾燥により接着力が低下したり、乾燥後に予定された接着強度が発生しない問題が発生していた。さらには押し込み用器具で接着液が塗付された部位のまぶたの皮膚を上から押し込むのであるが、この際に接着液と押し込み器具が接着されてしまい、取り去るときに接合箇所を破断させてしまう。また慌てて作業を行った結果、まぶたの貼り付け位置を誤って、求める二重まぶたの形成に失敗してしまう問題が発生していた。従って、使用者は、高粘度で乾燥しにくい接着液を塗付する必要が有り、接着液が乾いてまぶたが固定されるまでずっとまぶたを抑えておく必要が有ったことから、二重まぶた形成に複数の器具、時間及び大変な手間がかかり手軽に二重まぶたを形成できない問題が有った。
【０００５】
一方、二重まぶたが完成したとしても、その形状は単一となりがちで、個々の好みに応じた形状の二重まぶたを形成出来ない問題も有った。
【０００６】
また、従来の塗付具においては、筆先の接着液が塗りはじめから塗り終わりに至るまでに徐々に減少するため、皮膚への塗付量が一定とならず、最後にはカスレが生じるなど塗りムラの問題があった。かかるカスレ防止のため、本来接合に必要な量を超える接着液を筆先に含ませておくか、接着液の二度塗りをする必要があったが、余分に塗られた接着液がまぶたからはみ出したり、塗付量のムラにより、まぶたの開閉時に露出して見栄えが悪い、あるいは化粧を施して外出などする際に化粧料が接合部に厚塗りされて不自然さが強調されるという外観上の問題があった。二重まぶたが均一に形成されず不自然な凸凹二重まぶたになってしまうことにより、自分自身の思い描いた二重まぶたの形成ができない問題が有った。さらに、ハケ筆先は一度使用すると翌日には接着液が硬化して、アルコール液などに浸漬して置かないとそのまま使用できないなどの問題があった。
【０００７】
一方、多く塗布された接着液は、皮膜を厚く形成してしまうため、まぶたの形成に失敗したり、まぶたが剥がれてしまったような場合には、厚く固着した接着液を一度剥がした上で、再度手間のかかる形成作業を最初からやり直す必要があった。
【０００８】
本発明の目的は前記問題に鑑み、まぶたの皮膚に優しく、二重まぶた形成の確実性と簡便性が図れ、かつ塗付具と形成具が一体化した、初心者でも失敗なく好みの形状の二重まぶたを形成できる形成具及び二重まぶた形成方法を提供することにある。
【課題を解決するための手段】
【０００９】
前記目的を達成するために、請求項１に係る発明は、内部に接着液を収納した液収納容器と、その後端部が前記容器内の接着液と接触し、その先端部が前記容器の外部に突出する形態に保持（保持には取り外し出来ない様に液収納容器に固定されたもの又は液収納容器から挿脱着可能なものを含む。以降同じ）された、毛細管現象を利用する多孔質構造の液供給部材とを備えたことを特徴としている。
【００１０】
請求項２においては、請求項１に記載の二重まぶた形成具において、前記多孔質構造の液供給部材が、天然繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂のいずれか一種又二種以上の組み合わせにより多孔質構造（繊維集束体又は発泡体を含む。以降同じ）に形成され、前記接着液は、水溶性，低級アルコール可溶性又は水・低級アルコールの混合物に対する可溶性のうちいずれかを有する高分子を接着性成分として含むことを特徴としている。
【００１１】
また請求項３においては、請求項１または２に記載の二重まぶた形成具において、前記液供給部材は、前記液収納容器に対し挿着脱可能な棒状に形成されたことを特徴としている。
【００１２】
また請求項４においては、請求項３に記載の二重まぶた形成具において、前記液供給部材は、その両端部が互いに異なる形状に形成したことを特徴とする。
【００１３】
また請求項５に係る二重まぶた形成方法においては、請求項１〜４までのいずれかに記載の二重まぶた形成具を使用して二重まぶたを形成する方法であって、液収納容器を指でつかみ、液供給部材をまぶたの上皮に押し当て押し込んで目の輪郭に沿って内側から外側へと移動させながら折り込みシワを造る際に、液供給部材で押し込まれた皮膚に接着液が塗付されて、その押し込んだ状態で形成される折り込みシワを保持することを特徴とする。
【発明の効果】
【００１４】
請求項１に係る発明によれば、多孔質構造の前記液供給部材は毛細管現象により常に接着液が供給された状態で保持されている。また必要に応じて前記液収納容器を可塑性の加圧式とすることで、指で同容器を押圧し、接着剤を加圧して液供給部材へ圧送するようにしてもよい。このため、本発明にかかる二重まぶた形成具を使用すると、二重まぶたを形成したい部位の皮膚に液供給部材を押し当てながら押し込んで、目の輪郭に沿って内側から外側へと移動させながら折り込みシワを造り、前記接着液が押し込まれた皮膚に随時塗付され、その押し込んだ状態で形成される折り込みシワを保持する工程により瞬時に二重まぶた形成を行うことが出来る。従って短時間で手間がかからず、誰でも簡単に二重まぶたの形成ができるため、本発明の本形成具は初心者でも失敗のない形成具といえる。また、接着液が必要以上に無駄に消費されることがないので、非常に経済的でもある。
【００１５】
請求項２に係る発明によれば、前記液供給部材は、特定の繊維又は樹脂の一種又二種以上の組み合わせにより、平行繊維束、フェルト又はプラスチックを融合したポーラス体の如き多孔質構造を備え、前記接着液成分が水溶性、低級アルコール可溶性を有する高分子であるか、又は水・低級アルコール混合物に溶解する高分子である。このことにより、本形成具では、前記液供給部材が接着液の浸透に必要な多孔質構造を有し、毛細管作用又は容器内圧の上昇による液流通で液供給部材の全域に接着液を行き渡らせると共に、皮膚に対して常に極微量かつ一定量の液供給がなされるものである。
【００１６】
また、前記液供給部材は、多孔質構造に加え、皮膚との接触において、皮膚の反発力を吸収して架かる四分の一円以下の湾曲状態に変形するように、適度なコシのある柔構造を備える。従って、二重まぶた形成に適度なコシを持ちつつも、接着液の繰り返し塗付による摩擦が有っても肌荒れなどを起こさないものを実現している。
【００１７】
また、二重まぶたの修復作業が容易となる。人それぞれ、まぶたの肉付き、形状などに個人差があることに対応して、二重まぶた形成能力、接着力にも個人差が発生することも考えられる。万が一、二重まぶた形成部が破断して元に戻った場合には、従来の塗布具は一度固まった接着液を剥がしてから再度手間のかかる作業をする必要があったが、一方で本発明の形成具では、低粘度で速乾性の接着液を使用できることから、折り込み線を液供給部材でなぞるだけで簡単に接着修復できる。このように同じ部位を２回３回となぞることで固着力を強くすることができるので大きな利点といえる。
【００１８】
更に、従来方式の接着液を予め刷毛筆先に貯留させる塗布具による１回あたりの二重まぶた形成に必要な接着液使用量は約０．０１ｇ〜０．０２ｇ（実試験計量値）である。しかし、本発明の多孔質構造の液供給部材で形成する１回あたりの接着液使用量は約０．００１ｇ〜０．００２ｇ（実試験計量値）であり、従来方式にくらべて１０分の１の液使用量で二重まぶたを形成することができた。  このように、本発明の二重まぶた形成具は極めて経済的であり、作業性も優れている。さらに本発明は従来の皮膚平面上に接着液を塗付した面どうしの接着方法とは異なり、液供給部材の押し圧で折り込まれた皮膚の凹状の壁面全体に均一に接着液が塗付されて接着されるために極微量の使用量で強力な矯正力が持続される。それゆえに塗布量の多少や塗りムラが発生せず、接着液のはみ出しも無く、化粧をしても外観上の見栄えの問題など皆無と出来る。
【００１９】
また、通常の筆記具の筆先とインキにおいては、顔料などを配合するために粘度が１００ｍＰa・ｓ以上（好ましくは５０ｍＰa・s以下）になると流動性が低下して線画がカスレたり、顔料が目詰まりして不具合が生じる。また、使用される部位は先端部の点、いわゆる点接触のみで、使用されるために先端の一転に液集中させる必要が有る。しかし、本発明の液供給部材は突出された先端部の全表面を塗付の接触面として利用されるので、極微量の接着液の供給で賄えるために粘度２００ｍＰa・ｓ（Ｂ型粘度計（２０度）以下（好ましくは１００ｍＰa・ｓ）でも充分に使用できる。
【００２０】
請求項３に係る発明によれば、予め先端形状（円錐形状、円柱形状、長方体形状等）が異なる複数種の液供給部材を用意しておくことで、任意形状の液供給部材を液収納容器に取り付け一体化出来る。従って前記液供給部材の先端形状に応じて、折り込みシワの深さが異なる形状の二重まぶたが形成される。即ち、先端が円錐形状の前記液供給部材を使用すれば、まぶたの皮膚が折り込まれる面積が少なくなることで浅く折り込まれた（図８（ｂ）のｄ１参照）折込みシワが形成され、浅い切れ長の東洋人的な二重まぶたを形成することが出来る。一方で前記液供給部材を先端が円柱形状または長方体形状に形成された前記液供給部材へ交換して使用すれば折り込まれる皮膚の面積は多くなり、深く折り込まれた（図９（ａ）のｄ２参照）折り込みシワを形成することで奥二重のまぶたを形成出来る。このように先端形状の異なる液供給部材を使用することで、形成される二重まぶたの形状を変えることが出来るため、自分の好みに合わせた二重まぶたの形成が可能となる。
【００２１】
尚、まぶたの皮膚の性質、性状は個人差が大きく、さらには低年齢になるほど二重まぶたを形成するための皮膚の余裕が少ないと言える。また皮膚の張力や弾力は強いので、最初から深く折り込みシワを形成する奥二重にすることは困難である場合が多い。そのような場合であっても、まず円錐形状の液供給部材を使用し、浅い折り込みシワを形成させ、折込みシワが常習性になった時点からは円柱形部分が突出する形態に交換して使用することで奥二重の二重まぶたをすることが可能である。
【００２２】
請求項４に係る発明によれば、前記液給部材の先端部と後端部を異なる形状に形成することで、先端形状の異なる一本の液供給部材を先後入れ替えて挿着し直し、使用することが出来る。即ち、一本の液供給部材の先後の形状を形成したい二重まぶたの形状によって使い分けることが出来る。
【００２３】
例えば、液供給部材の片方を尖頭状に形成した円錐形状とし、もう片方を円柱形状又は長方体形状とすることで、一本の液供給部材で折り込みシワの深さが異なる形状の二重まぶたが形成出来る。特に、前述したように二重まぶたを形成するための皮膚に余裕がなく、最初から深く折り込みシワを形成することが困難な人は、一本の液供給部材にて奥二重の二重まぶたを形成出来る。
【００２４】
請求項５に係る発明によれば、請求項１〜４までのいずれかに記載の発明を使用して、まぶたの皮膚の押し込み、折り込んだ状態のシワを保持すること、包み込まれるように接触した皮膚の全接触面に対して前記液供給部材より、極微量かつ一定量の接着液を塗付することと、形成具を移動させることで更なる折り込み、接着液の塗付に併せて形成具が通過した直後の皮膚が元に戻ろうとする反発弾力で折り込み皮膚面どうしが接合され、折り込みシワを保持して固着することを瞬時に行い、二重まぶた形成して行くことにより、短時間で手間がかからず、誰でも簡単に二重まぶたの形成ができるため、初心者でも失敗のない形成方法といえる。
【発明を実施するための最良の形態】
【００２５】
以下、添付図面に基づいて、本発明の実施の形態を詳細に説明する。
【００２６】
本発明の第１の実施例を図１に基づいて説明する。図１は、内部に二重まぶた形成用の接着液４を含浸する中綿３を備え、フェルト芯のような柔構造かつ多孔質構造の円錐形状５の液供給部材１を取り外しできないように固定するか、又は挿脱着可能なように保持した液収納容器２で構成された二重まぶた形成具を示す。液供給部材１は、液収納容器２から先端部が外部へ突出し、基底部が液収納容器２内部に収容されている中綿３と接触し、容器２に固定されるか、又は容器２に対し着脱可能に保持されている。接着液４は、多孔質構造の液供給部材１が引き起こす毛細管作用によって中綿３から液供給部材１の全体へ供給される。また、消費された接着液４は途切れることなく液供給部材１へ液供給される。
【００２７】
本発明の第２の実施例を図２に基づいて説明する。図２は、実施例１において、液収納容器２を外圧によって変形可能とした二重まぶた形成具を示す。接着液４の液供給部材１への液供給工程は実施例１と同じであるが、液収納容器の材質を可塑性のある樹脂などで成型する。外壁７より外圧を与えると液収納容器の内圧が高くなり接着液４が液供給部材１に強制供給される。粘度が高い接着液を使用する場合、毛細菅作用の低下による液供給効果の低下が考えられるが、本実施例は当該効果の低下を防止するものである。従って、液供給部材１と中綿３の接触において、生じる毛細管作用と共に、容器の外部から圧力を加えることで容器内圧を上昇させ、液流通させることで中綿３から液供給部材１へ液供給させる。従って接着液の塗付時には、液供給部材の先端部は押し圧の強弱に関わらず、常時一定量の接着液が供給されるよう以下に記載する素材を用いた多孔質構造とする。
【００２８】
次に第３の実施例を図３に基づいて説明する。図３は、実施例１において、接着液４を含浸した、中綿３と多孔質構造の液供給部材１との間に、前記液供給部材１より外径の細い中継芯８を配置した二重まぶた形成具を示す。中継芯８の一端は液供給部材１に接し、他端は中綿３に接している。外径の細い前記中継芯８は。液供給部材１より更に大きな毛細管作用を発生し、中綿３から前記液供給部材１へ更に効率よく接着液４を供給することが出来る。
【００２９】
次に第４の実施例を図４に基づいて説明する。図４は、実施例１において液収納容器２の内部に中綿３が無い液貯留方式した二重まぶた形成具である。液供給部材１は基底部が、液収納容器２の内部に貯留した接着液４に含浸し、液供給部材１が引き起こす毛細管作用によって中綿３から液供給部材１の全体へ供給される。
【００３０】
次に第５の実施例を図６に基づいて説明する。図６ａは、実施例１において、挿着脱可能とした液供給部材の両端の形状が異なる円錐円柱複合型の形成具である。この実施例では先端部を円錐型９ａとし、基底部を円柱型９ｂとしている。また図６ｂに示すように、先端部と基底部は形成したい二重まぶたの形状に併せて、先後差し換えて使用することが出来る。
【００３１】
以降に各実施例に共通する留意点を説明する。
【００３２】
液供給部材１に用いる素材は、毛細管作用を発生するように多孔質構造を備える必要が有る。更に、皮膚の反発力を吸収する弾力性を有する必要がある。即ち、皮膚との接触において、皮膚の反発力を吸収して架かる四分の一円以下の湾曲状態に変形するように、適度なコシのある構造が望ましく、弾力性、可塑性のある軟らかさを持つ素材とする。その理由は接着液を繰り返し塗付し、摩擦しても肌荒れなどを起こさない弾力性を実現するためである。
【００３３】
以上の点を鑑みて、液供給部材１の素材（実施例３においては液供給部材と中継芯）は多孔質かつ柔構造体とする必要があり、後述する実験結果から、液供給部材１はフェルト芯で、例えば、アクリル系樹脂及びポリエステル系樹脂を組み合わせたものが望ましい。
【００３４】
また、液供給部材１をフェルト芯とするか、スポンジ（ポリウレタン系樹脂等の発泡体）若しくは多孔質構造の繊維集束体（例えば、天然繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂のいずれか一種又二種以上を組み合わせた多孔質の繊維収束体）で構成することが考えられる。これにより液供給部材１の先端部は押し圧の強弱に関わらず、常時一定量の接着液４が供給される多孔質構造となり、必要な柔構造を有することになる。
【００３５】
次に液供給部材１に必要な突出長さについて説明する。
先の細い筆先などの押し圧力で折り込まれるまぶた皮膚の奥行きは折りたたみ可能な皮膚に個人差があるが、日本人は約５ミリから１２ミリの間に集約される。そして、本実施例の二重まぶた形成具の場合は、液供給部材の突出部全面積を使い皮膚に接触させるもので、傾斜角は皮膚に対して４５度以上傾けて使用することが望ましく、線を引く方向に本形成具の基底部が傾き、液供給部材の先端部はそれとは逆向きに傾くために、液供給部材の皮膚内に押し込まれる長さは、折り込まれる皮膚の奥行きの1.2倍から1.5倍以上、即ち６ミリから１８ミリ以上の長さを設定することが望ましい。
【００３６】
また、液供給部材１の突出長さは、接着液４が二重まぶたの接着に最低限必要な皮膚面積を超えて余分に塗付され、接着面積の増大による引きつれ又は違和感などを発症しないため、長くとも３０ミリ以内とすることが望ましい。
【００３７】
次に液供給部材１に必要な形状について説明する。図５に示すのは図１〜図４の各実施例に使用可能な液供給部材の先端部形状の一例である。一般的に使用される筆記具の液供給部について考えると、筆記具はその突端部分のみを点接触させ線画を描くため、必ずしも液供給部の全表面が紙などの対象物に接触することは想定していない。しかし、本発明の場合は接触する対象が弾力のある皮膚であり、突端部分の点接触では皮膚を痛める危険性が有る。従って、容器本体より突出された液供給部材の全表面を接触面とし、接触時の皮膚と前記液供給部材の摩擦抵抗を低下させて皮膚の押し込み時と皮膚上を移動させて線を引くように滑らせる時に皮膚に掛かる負担を少しでも減らしかつ出来るだけ動きを滑らかにする必要がある。従って液供給部材の形状は、図５に示すように先端に行くほど細くなっている円錐状や細い円柱状等が良い。
【００３８】
ここで、液供給部材の形状を変更することで形成される二重まぶたの形状を変えることが出来る。例えば浅い切れ長の東洋人的な二重まぶた（図８（ｂ）のｄ１参照）を形成したければ、皮膚に接触させる先端部位を尖頭状にすること、例えば、円錐形状、変形円錐形状又は三角錐形状とし、先端の断面直径を２ｍｍ以下とすることが好ましい。また、奥二重の太い西洋人的な二重まぶた（図９（ａ）のｄ２参照）を形成したければ、皮膚の折り込みシワが深くなるように、先端部位を円柱形状、変形円柱形状又は長方体形状とし断面直径若しくは断面の最小幅を３．５ｍｍ以下とすることが好ましい。
【００３９】
尚、図７（ａ），（ｂ），（ｃ）は液収納容器２に保持される液供給部材１の拡大図であるが、液供給部材１は接着液が染み込み膨潤し、断面積が拡大することで液収納容器２の先端開口部の内壁に押し付けられ固定される。ここで、液供給部材１には、液収納容器２の先端から内部へ挿入しすぎることを防止するため、図７（ａ）に示すように挿入を停止すべき位置に線を入れるか、（ｂ）に示すように液供給部材１を固定する際に液収納容器２の外部へ突出する部分と内部に挿入される部分を色分けして、どこで挿入を停止すれば良いか使用者が明確に把握できるようにしておくことが望ましい。また、（ｃ）に示すように、液供給部材１の外周に凸部１ａを、液収納容器先端部に凹部を設けることにより両部を嵌合させ固定するようにすれば一層望ましい。
また、本形成具の使用後は乾燥防止のため、例えば、図１に記載したような液供給部材１の乾燥防止用キャップ６を常に準備し、被せておくことが望ましい。
【００４０】
次に液収納容器２の内部について説明する。液収納容器２の内部は、液供給部材１に毛細菅作用又は容器内圧により液供給が可能な方式であれば、例えば従来よりある中綿を有する方式、中綿無く液を貯留する方式又は物理的な押し出し機能を設けた形式等が採用できる。ここで、実施例１〜３及び５では中綿３を採用しているが、本形成具を倒立、横向きなどあらゆる角度に向けても液供給部材１へ途切れることなく接着液４を供給することを考慮した場合には、実施例４における中綿無く液を貯留する方式（図４参照）よりも中綿の有る方式（図１〜３及び図５の３参照）の方がより望ましい。
【００４１】
次に接着液４について説明する。接着液の成分は、液供給の促進、液浸透作用の向上、初期接着時間の短縮化及び肌荒れ防止を図れる必要がある。従って、以上の点及び後述する被験者への実験結果を鑑みて、最良な接着液の構成は、後述する[接着液１]に記載した、エタノール可溶性のアクリル酸・アクリル酸アミド・アクリル酸エチル共重合体(BASF社)１０．０重量部を無水エタノール（日本アルコール）８７．０重量部、PEG-8(BASF社)３．０重量部に溶解して、粘度係数５０ｍＰａ・ｓ/２０℃とすることが後述する実験結果より最も望ましい。一方で以下の条件を満たす接着液を使用することも可能である。
【００４２】
使用できる接着液の構成は、第一に接着成分である水又は低級アルコール、水／低級アルコール可溶性高分子が所定質量部、第二に水、又は低級アルコール、水/低級アルコール混合物が所定質量部、第三に必要に応じてその他成分が所定質量部で構成される。多孔質構造の液供給部材が液収納容器から毛細菅作用又は容器内圧で液流通されるための粘度、あるいは液供給部材で皮膚を押し込みながら瞬時に二重まぶた形成を可能にする極微量での接着力の確保、又は折り込まれたシワを定着維持する為の経過時間による接着強度を保持するためには、溶媒としての水又は低級アルコール、水／低級アルコールの混合物に対して、水溶性又は低級アルコール可溶性高分子の最低固形分濃度は５質量部以上であって、液供給部材への液流通が困難となる５０質量部以下とする必要がある。  尚、水溶性高分子の場合、液供給を促進するために、又は液浸透作用を高めるために、あるいは初期接着時間を早めるために低級アルコールを組み合わせることが望ましい
【００４３】
接着成分は水又は低級アルコール、水/低級アルコール可溶性高分子として、ビニルピロリドン/酢酸ビニル共重合体(BASF社)、ビニルピロリドン/アクリレート共重合体(BASF社)、ビニルアセテート/クロトン系共重合体(BASF社)ポリビニルピロリドン系樹脂(BASF社)、アクリル酸エステル/メタクリル酸エステル共重合(互応化学)、アクリル酸ヒドロキシエチル・アクリル酸メトキシエチル共重合体液(互応化学)、アクリル酸ヒドロキシエチル・アクリル酸ブチル・アクリル酸メトキシエチル共重合体液(互応化学)、アクリル酸アルカノールアミン液(互応化学)、酢酸ビニル/クロトン酸系共重合樹脂(NSC社)、メチルビニルエーテルマレイン酸ハーフエステル(ISP社),ビニルピロリドン/ビニルアセテート/ビニルプロピオネート共重合体(BASF社),t−ブチルアクリレート/アクリル酸エチル/メタクリル酸共重合体（BASF社）,アクリレーツ/アクリルアミド共重合体(BASF社)、(アクリレーツ/アクリル酸ラウリル/アクリル酸ステアリル/メタクリル酸エチルアミンオキシド)コポリマー、アクリル酸・アクリル酸アミド・アクリル酸エチル共重合体（BASF社）ビニルアセテート/ブチルマレアート/イソボルニルアクリラート共重合体(ISP社)、ジアルキルアミノエチルメタクリルエート共重合体(ISP社)、アクリル酸アルキル共重合体（BASF社）、などの接着剤に使用される成分であれば良い。あるいはセルロース誘導体、ロジン、セラック、セリシン、ケラチン、カゼイン、プルランなどの天然由来成分、又は誘導体を用いることもできる。これらの一種、又は二種以上を混合して使用できる。毛細菅作用又は容器内圧での液流通を図る仕組みであるから低級アルコールを優先的に使用することが望ましい。尚、接着成分の低級アルコールは無水エタノール、又は変性エタノールあるいはイソプロピルアルコールの一種又は二種以上を混合して使用しても良い。
【００４４】
更にその他の成分として、表面張力の低下による毛細菅作用の促進あるいは液浸透性の促進作用、接着成分の柔軟化作用、フェルト、スポンジ液供給部材などの乾き防止作用、皮膚上での液供給部材の摩擦抵抗低減作用、皮膚保護成分、保湿成分などを考慮して、界面活性剤、多価アルコール類、グリコール類、シリコン類さらには、植物エキス類、香料、防腐剤、抗菌剤、保護剤、顔料、着色剤などを、接着成分として必要な固形分濃度を阻害しない質量で混合することも出来る。
【００４５】
次に本発明の使用例を説明する。図８の（ａ）〜（ｃ）と図９（ａ）及び（ｂ）に本形成具の一連の使用方法と使用前後の状態を示す。本形成具における円錐形状の液供給部材１を図５（ａ）に示す皮膚１０に向かって斜め下方より押し当てて内側へ押し込む、折り込まれた皮膚１０が多孔質構造の液供給部材１を包み込むように（即ち液供給部材のほぼ全周面と）接触する。液供給部材が接触した部位１１には接着液が均一に塗付される。そして本形成具の基底部が進行方向を向くように４５度以上傾けつつ、目の輪郭に沿って線を引くように移動させれば皮膚面に接着液が塗付された面どうしが接合して瞬時に折り込みシワが形成されて二重まぶたが完成する。
【００４６】
ここで、本発明に際して行った、フェルト芯液供給部材及び繊維芯液供給部材への液供給試験について説明する。液供給部材に柔構造フェルト芯（材質アクリル、ポリエステルの円錐タイプ、芯長さ１２ミリ）を取り付けた、三菱鉛筆社製アプリケーターUC-３８（液収納容器）を形成具として使用し、接着液１及び３を充填したものを実験例１及び３として、毛細管作用での液供給試験及びまぶたの皮膚塗付試験を行った。一方、液供給部材に柔構造の平行繊維束（材質アクリル、ポリエステルの円柱タイプ、幅３ミリ、長さ１５ミリ）であって、接着液をピストンで押し出す機構とすべく、軸の中心に液流通可能な０．５ミリ径の微細なトンネル状の経路を設けたものを取り付けた、三菱鉛筆社製アプリケータ−ＵＣ−２２（液収納容器）を使用し、接着液２及び４を充填したものを実験例２及び４とし、容器内圧を加えた液供給試験をそれぞれ行った。尚、使用した接着液は以下の４種類である。
【００４７】
接着液１は、エタノール可溶性のアクリル酸・アクリル酸アミド・アクリル酸エチル共重合体(BASF社)１０．０重量部を無水エタノール（日本アルコール）８７．０重量部、PEG-8(BASF社)３．０重量部に溶解して、粘度係数５０ｍＰａ・ｓ/２０℃としたものである。
【００４８】
接着液２はエタノール可溶性のアクリル酸・アクリル酸アミド・アクリル酸エチル共重合体(BASF社)を２０．０無水エタノール(日本アルコール)７５．０重量部、PEG-8(BASF社)５．０重量部に溶解して、粘度係数１２０ｍＰａ・ｓ/２０℃としたものである。
【００４９】
接着液３は、エタノール可溶性の(アクリル酸アルキル/ジアセトンアクリルアミド)コポリマーAMP（互応化学工業）２０・０重量部(５０%エタノール)に無水エタノール(日本アルコール)７０．０重量部に、精製水５．０重量部、グリセリン(和光純薬)５・０重量部に溶解して、粘度係数７８ｍＰａ・ｓ/２０℃としたものである。
【００５０】
接着液４はエタノール可溶性の(アクリルアルキル/ジアセトンアクリルアミド)コポリマーAMP（互応化学工業）３５．０重量部(５０%エタノール)に、無水エタノール(日本アルコール)５５．０重量部、精製水５．０重量部、グリセリン（和光純薬）５重量部に溶解して、粘度係数１５０ｍＰａ・ｓ/２５℃としたものである。
【００５１】
上記液供給試験の結果、実験例１及び３の液供給は極めて良好であった。
実験例２及び４は固形分および濃度が高いが内圧による液供給をすれば良好だった。好ましい順番は実験例１−実験例２−実験例３−実験例４である。
【００５２】
ここで、接着液における皮膚接触抵抗及び塗付官能試験を行った。被験者５人を用いて本発明の接着液によるまぶた上皮の皮膚接触抵抗及び塗付官能試験を行った。試験は実際に接着液１〜４を本形成具に充填して実際に使用してもらい、以下の内容について意見聴取することで行った。内容は３点で、（１）「皮膚への接着液の塗付のし易さ」、（２）「筆先から感じる違和感」、（３）「皮膚に赤みが発したか否か」についてであるが、以下のような結果が現れた。
【００５３】
まず（１）の塗付のし易さをたずねた所、実験例１〜３においては、５人全員が塗りやすいと答えた。一方で粘度の比較的高い実験例４を試した場合には５人中４人が塗布しやすいと答え、残る１人が普通であると答えた。また一方で（２）の違和感、（３）の皮膚への赤みの質問については、５人全員が違和感も赤みを発することも無かったと回答した。
【００５４】
従って、本発明の二重まぶた形成器及び形成方法を実施した場合、柔構造フェルト芯に充満された接着液の皮膚に対する違和感及び赤みの発生による皮膚トラブルは無かったと考えられる。一方、具体例２、具体例４では粘度が１００ｍＰ・ｓ／２０℃以上の高濃度のため毛細管作用による液供給には適さないので容器内圧による液流通方法で試験したがこれも良好だったと言える。液供給の浸透の効率は、接着液の具体例１−具体例２-具体例３-具体例４の順番であったが、差異は大きくない。具体例３、具体例４で使用した接着液３、４のポリーマーの構造粘性などが影響していると推察できる。このように、ポリーマーの種類、濃度、粘度などによっては、内圧による液流通で供給する方式が選択できる。
【００５５】
次に、二重まぶたの形成に従来の刷毛筆式形成具を使用した経験のある、又は現在使用している被験者１０人により、改めて本発明の二重まぶた接着液を含有する本形成具により二重まぶたの形成試験を行った。試験試料は前回と同じく実際に接着液１〜４までを本形成具に入れて実際に使用してもらい、以下の内容について意見聴取することで行った。内容は以下に示す４点についてであって、（１）本形成具における二重まぶたの形成能力に満足したか、（２）単純に使い易さを感じるか、（３）出来上がった二重まぶたに違和感を感じるか、（４）従来品(刷毛筆式の形成具)と比較して優れていると感じるかについて尋ねたところ、以下のような結果が現れた（以下の表１参照）。
【００５６】
【表１】
2006255333.tif 000003
【００５７】
表１より本発明の二重まぶたの接着液及び形成方法は従来の二重まぶた使用経験者による試験結果からも優れた評価を得られたと考えられる。特に比較的粘度の低い実験例１、粘度は高いが内圧による方式の実験例２は極めて評価が高い。しかし、比較的高粘度の実験例３、実験例４の粘度を有する場合には同じ液流通方式をとりつつ粘度の低い、実験例１、実験例２に比べて速乾性の面で接着力が弱いため、評価は落ちた。実験例２および実験例４は粘度、固形分濃度が高いが容器内圧による液流通方式で試験を行ったがより速乾性で接着力の優れた実験例２の評価が高い。以上の実験結果にて今回の二重まぶた形成具及び形成方法においてはいずれも高い評価が得られたと考える。
【００５８】
本発明においては、できるだけ薄く均一に接着液を塗付することが、自分好みの綺麗な二重まぶた形成のポイントであり、使いやすさや違和感の低減に重要であると言える。従って、塗着される液量が即乾かつ極少量であるため、二重まぶた矯正中においても従来に比べて違和感が少ない二重まぶた形成具及び形成方法と言える。本発明の液供給部材は塗付具の棒軸から突出された部分の全表面を使用する方法であるために、皮膚の接触抵抗が低減され、接着液の消費効率が良い等の利点がある。
【図面の簡単な説明】
【００５９】
【図１】実施例１における本形成具の断面図
【図２】実施例２における本形成具の断面図
【図３】実施例３における本形成具の断面図
【図４】実施例４における本形成具の断面図
【図５】各液供給部材の外形図
【図６】実施例５における本形成具の断面図（ａ）液供給部材の先端を円錐形状とした本形成具の断面図（ｂ）液供給部材の先端を円柱形状とした本形成具の断面図
【図７】液供給部材の変形例（ａ）外周に線をいれたもの（ｂ）液収納容器への挿入部分と突出部分を色で塗り分けたもの（ｃ）外周に液収納容器との嵌合用の突起を設けたもの
【図８】本形成具（液供給部材が円錐形状）の使用状態説明図（ａ）本形成具使用前における、まぶた近辺の断面図（ｂ）本形成具使用中における、まぶた近辺の断面図（ｃ）本形成具使用中における、まぶた近辺の正面図
【図９】本形成具（液供給部材が円柱形状）の使用状態説明図（ａ）本形成具使用中における、まぶた近辺の断面図（ｂ）本形成具使用後における、まぶた近辺の断面図
【符号の説明】
【００６０】
１    液供給部材
２    液収納容器
３    中綿
４    接着液
５    円錐形状の液供給部材
６    キャップ
７    液収納容器の外壁
８    中継芯
９    先端部が円錐型で基底部が円柱形状に形成された液供給部材
９ａ  円錐形に形成された先端部
９ｂ  円柱形に形成された基底部
１０  本形成器を使用するまぶたの部位
１１  折り込まれた時に液供給部材と接触する皮膚の部位
１２  円柱形状の液供給部材
ｄ１  本形成具（先端円錐形）の使用後における折り込まれた皮膚の厚さ
ｄ２    本形成具（先端円柱形）の使用後における折り込まれた皮膚の厚さ
【図１】
2006255333.tif 000004
【図２】
2006255333.tif 000005
【図３】
2006255333.tif 000006
【図４】
2006255333.tif 000007
【図５】
2006255333.tif 000008
【図６】
2006255333.tif 000009
【図７】
2006255333.tif 000010
【図８】
2006255333.tif 000011
【図９】
2006255333.tif 000012